(57)【要約】【目的】  ＰＣは所持していないが、デジタルカメラは所持しているユーザが記憶媒体内の画像データを簡単に保存し、保存された画像データを簡単に検索し、所望の画像データを印刷することが可能なダイレクトプリンタ装置を提供すること。【構成】  画像データを格納する記憶媒体を装着する装着部と、前記装着部を介して入力される画像データを処理する処理手段と、ユーザにより操作されて命令及びデータを入力するための操作部と、前記操作部による設定に基づきプリントする出力手段と、大容量記憶装置との接続端子と、光学式読み取り装置を含んでダイレクトプリンタ装置を構成する。【選択図】      図１
2004216559.tif 000002
【特許請求の範囲】
【請求項１】
画像データを格納する記憶媒体を装着する装着部と、前記装着部を介して入力される画像データを処理する処理手段と、ユーザにより操作されて命令及びデータを入力するための操作部と、前記操作部による設定に基づきプリントする出力手段と、大容量記憶装置との接続端子と、光学式読み取り装置を所持していることを特徴とするダイレクトプリンタ装置。
【請求項２】
記憶媒体内に格納された画像データを大容量記憶装置に保存する機能を所持していることを特徴とする請求項１記載のダイレクトプリンタ装置。
【請求項３】
大容量記憶装置内に保存された画像データをプリントする機能を所持していることを特徴とする請求項１記載のダイレクトプリンタ装置。
【請求項４】
大容量記憶装置への保存はメモリカード内画像データをチェックボックスと合わせて画像選択用紙として、インデックスプリントすることを特徴とする請求項２記載のダイレクトプリンタ装置。
【請求項５】
大容量記憶装置への保存は、ユーザが前記画像選択用紙に所望の画像データに対応したチェックボックスをチェックし、前記画像選択用紙をダイレクトプリンタ給紙部へセットし、前記ダイレクトプリンタの光学式読み取り装置により所望の画像データを読み取り、前記画像データを大容量記憶装置に保存することを特徴とする請求項２又は４記載のダイレクトプリンタ装置。
【請求項６】
大容量記憶装置への保存は、保存した日付毎のファイルディレクトリ構造であることを特徴とする請求項２，４又は５記載のダイレクトプリンタ装置。
【請求項７】
大容量記憶装置からのプリントは、メモリカード内画像データをチェックボックスと合わせて画像選択用紙としてインデックスプリントすることを特徴とする請求項３記載のダイレクトプリンタ装置。
【請求項８】
大容量記憶装置からのプリントは、ユーザが前記画像選択用紙に所望の画像データに対応したチェックボックスをチェックし、前記画像選択用紙をダイレクトプリンタ給紙部へセットし、前記ダイレクトプリンタの光学式読み取り装置により所望の画像データを読み取り、前記画像データを大容量記憶装置からプリントすることを特徴とする請求項３又は７記載のダイレクトプリンタ装置。
【発明の詳細な説明】
【０００１】
【発明の属する技術分野】
本発明は、デジタルカメラの撮像結果や不揮発性記憶媒体に格納された画像データをプリンタに直接入力し、出力画像を得ることが可能なダイレクトプリンタ装置に関する。
【０００２】
【従来の技術】
近年、一般家庭におけるパーソナルコンピュータ（以下、ＰＣと呼称する）の普及は目覚ましく、ＰＣの普及と共に画像入力機器として高解像度のデジタルカメラと、画像出力機器としてインクジェットプリンタ等のプリンタが普及している。ユーザはデジタルカメラからの画像データをＰＣに入力し、ＰＣモニタに画像表示し所望の画像を選んでプリンタにより印刷する方法を採っている。
【０００３】
一方で、一般家庭においてＰＣは所持していないが、デジタルカメラは所持している、といったケースも多々あり、このような場合においてユーザは画像出力機器として昇華型、或はインクジェット方式によるダイレクトプリンタを購入することにより、デジタルカメラから画像データが入力されているメモリカードを取り出し、ダイレクトプリンタにメモリカードを挿入し、ダイレクトプリンタ個々の方法により印刷を行っている。
【０００４】
【発明が解決しようとする課題】
ところで、コンパクトフラッシュ等のデジタルカメラ用記憶媒体は安価でないため、フィルムカメラのフィルムのように消耗品として幾つも所持しているユーザは希である。又、記憶媒体容量も限られているので、何枚か撮影し容量が満たされると、ＰＣを所持しているユーザは、撮影した画像データをＰＣのハードディスクやＰＣに備えられた磁気ディスク式記録媒体等にバックアップを取ることができ、こうすることで、例えば１つの記憶媒体のみを用いて何枚でもデジタル画像の撮影が可能となる。
【０００５】
しかし、ＰＣを所持していないユーザは、撮影した画像をダイレクトプリンタ等で印刷後、記憶媒体の内容を消去しなければならず、画像データの保存を行うことが困難である。
【０００６】
又、所望の画像データを保存ないしは印刷する際に、従来のダイレクトプリンタにおいては、所望の画像データを選択する際にはモニターにインデックス画像を表示し、先頭画像からカーソルで順次追従させて所望の画像位置でカーソルを停止させ、確認入力を行ってからプリンタに出力しているので、仮に、所望の画像が最後にあることが分かっていても、カーソルを順に最後まで追従させる必要があり、画像の選択に時間が掛かり過ぎるという問題もあった。
【０００７】
本発明は上記問題に鑑みてなされたもので、その目的とする処は、ＰＣは所持していないが、デジタルカメラは所持しているユーザが記憶媒体内の画像データを簡単に保存し、保存された画像データを簡単に検索し、所望の画像データを印刷することが可能なダイレクトプリンタ装置を提供することにある。
【０００８】
【課題を解決するための手段】
本発明におけるダイレクトプリンタは、画像データを格納する記憶媒体を装着する装着部と、前記装着部を介して入力される画像データを処理する処理手段と、ユーザにより操作されて命令及びデータを入力するための操作部と、前記操作部による設定に基づきプリントする出力手段と、大容量記憶装置との接続端子と、光学式読み取り装置を所持することにより、デジタルカメラ等で撮影した画像データをダイレクトプリンタに接続した大容量記憶装置へ保存ないし印刷する際、所望の画像データを選択する際にはインデックスプリントが施された画像選択用紙により、ユーザがメモリカード内ないし大容量記憶装置内の全画像データを一度に閲覧し所望の画像データに対応したチェックボックスへチェックを入れるだけで良く、ユーザへの作業負荷、時間負荷を軽減することができる。
【０００９】
【発明の実施の形態】
以下に本発明の実施の形態を添付図面に基づいて説明する。
【００１０】
図１は本発明の実施の形態に係るダイレクトプリンタ装置１０００の概観斜視図である。このダイレクトプリンタ装置１０００は、ＰＣからデータを受信して印刷する通常のＰＣプリンタとしての機能と、メモリカード等の記憶媒体に記憶されている画像データを直接読み取って印刷する機能と、画像データを保管可能な大容量記憶装置を接続可能な機能を備えている。
【００１１】
図１において、本実施の形態に係るダイレクトプリンタ装置１０００の外殻を成す本体は、下ケース１００１、上ケース１００２、アクセスカバー１００３及び排出トレイ１００４の外装部材を有している。又、下ケース１００１は、装置１０００の略下半部を、上ケース１００２は本体の略上半部をそれぞれ形成しており、両ケースの組合せによって内部に後述の各機構を収納する収納空間を有する中空体構造を成し、その上面部及び前面部にはそれぞれ開口部が形成されている。
【００１２】
更に、排出トレイ１００４は、その一端部が下ケース１００１に回転自在に保持され、その回転によって下ケース１００１の前面部に形成される開口部を開閉させ得るようになっている。このため、記録動作を実行させる際には、排出トレイ１００４を前面側へと回転させて開口部を開成させることにより、ここから記録シートが排出可能となると共に、排出された記録シートを順次積載し得るようになっている。又、排紙トレイ１００４には、２枚の補助トレイ１００４ａ，１００４ｂが収納されており、必要に応じて各トレイを手前に引き出すことにより、用紙の支持面積を３段階に拡大、縮小させ得るようになっている。
【００１３】
アクセスカバー１００３は、その一端部が上ケース１００２に回転自在に保持され、上面に形成される開口部を開閉し得るようになっており、このアクセスカバー１００３を開くことによって本体内部に収納されている記録ヘッドカートリッジ５００１或はインクタンク（不図示）等の交換が可能となる。尚、ここでは特に図示しないが、アクセスカバー１００３を開閉させると、その裏面に形成された突起がカバー開閉レバーを回転させるようになっており、そのレバーの回転位置をマイクロスイッチ等で検出することにより、アクセスカバーの開閉状態を検出し得るようになっている。
【００１４】
又、上ケース１００２の上面には、電源キー１００５が押下可能に設けられている。又、上ケース１００２の右側には、液晶表示部１００６や各種キースイッチ等を備える操作パネル１０１０が設けられている。この操作パネル１０１０の構造は、図２を参照して詳しく後述する。
【００１５】
１００７は自動給送部で、給紙モータ５００３により記録シートを装置本体内へと自動的に給送する。１００８は紙間選択レバーで、プリントヘッドと記録シートとの間隔を調整するためのレバーである。１００９はカードスロットで、ここにメモリカードを装着可能なアダプタが挿入され、このアダプタを介してメモリカードに記憶されている画像データを直接取り込んで印刷することができる。このメモリカードとしては、例えばコンパクトフラッシュメモリ、スマートメディア、メモリスティック等がある。
【００１６】
１０１１はビューワ（液晶表示部）で、この装置本体に着脱可能であり、メモリカードに記憶されている画像の中からプリントしたい画像を検索する場合等に１コマ毎の画像やインデックス画像等を表示するのに使用される。１０１２は後述する大容量記憶装置を接続するための端子であり、１０１３はＰＣを接続するためのＵＳＢバスコネクタを示す。
【００１７】
図２は本実施の形態に係る操作パネル１０１０の概観図である。
【００１８】
図２において、液晶表示部１００６には、その左右に印刷されている項目に関するデータを各種設定するためのメニュー項目が表示される。ここに表示される項目としては、印刷したい範囲の先頭写真番号〜指定コマ番号（開始／−指定）〜印刷を終了した範囲の最後の写真番号（終了）、印刷部数（部数）、印刷に使用する用紙（記録シート）の種類（用紙種類）、１枚の用紙に印刷する写真の枚数設定（レイアウト）、印刷の品位の指定（品位）、撮影した日付を印刷するかどうかの指定（日付印刷）、写真を補正して印刷するかどうかの指定（画像補正）、印刷に必要な用紙枚数の表示（用紙枚数）等がある。これらの各項目は、カーソルキー２００１を用いて選択或は指定される。
【００１９】
２００２はモードキーで、このキーを押下する毎に、印刷の種類（インデックス印刷、全コマ印刷、１コマ印刷等）を切り替えることができ、これに応じてＬＥＤ２００３の対応するＬＥＤが点灯される。２００４はメンテナンスキーで、プリントヘッドのクリーニング等、プリンタのメンテナンスを行わせるためのキーである。２００５は印刷開始キーで、印刷の開始を指示するとき、或はメンテナンスの設定を確立する際に押下される。２００６は印刷中止キーで、印刷を中止させる時やメンテナンスの中止を指示する際に押下される。
【００２０】
２００７は大容量記憶装置モードキーで、ダイレクトプリンタ装置１０００に接続した大容量記憶装置３０１２へのアクセスを許可するキーである。ここで、大容量記憶装置とは、光ディスク式記録媒体、光磁気ディスク式記録媒体、磁気ディスク式記録媒体、磁気テープ式記録媒体等の装置を指し示す。２００８は保存キーであり、メモリカード内の画像データを大容量記憶装置３０１２に保存する際に使用する。
【００２１】
次に、図３を参照して本実施の形態に係るダイレクトプリンタ装置の制御に係る主要部の構成を説明する。尚、この図３において、前述の図面と共通する部分は同じ記号を付与して、それらの説明を省略する。
【００２２】
図３において、３０００は制御部（制御基板）を示している。３００１はＡＳＩＣ（専用カスタムＬＳＩ）を示し、その構成は図１のブロック図を参照して詳しく後述する。３００２はＣＰＵで、内部にＤＳＰ（デジタル信号処理プロセッサ）を有し、後述する各種制御処理及び輝度信号（ＲＧＢ）から濃度信号（ＣＭＹＫ）への変換、スケーリング、ガンマ変換、誤差拡散等の画像処理等を担当している。
【００２３】
３００３はメモリで、ＣＰＵ３００２のＣＰＵの制御プログラムを記憶するプログラムメモリ３００３ａ及び実行時のプログラムを記憶するＲＡＭエリア、画像データ等を記憶するワークメモリとして機能するメモリエリアを有している。３００４はプリンタエンジンで、ここでは、複数色のカラーインクを用いてカラー画像を印刷するインクジェットプリンタのプリンタエンジンが搭載されている。３００５は大容量記憶装置３０１２を接続するためのポートとしてのＵＳＢバスコネクタである。３００６はビューワ１０１１を接続するためのコネクタである。
【００２４】
３００８はＵＳＢバスハブ（ＵＳＢ  ＨＵＢ）で、このプリンタ装置１０００がＰＣ３０１０からの画像データに基づいて印刷を行う際には、ＰＣ３０１０からのデータをそのままスルーし、ＵＳＢバス３０２１を介してプリンタエンジン３００４に出力する。これにより、接続されているＰＣ３０１０は、プリンタエンジン３００４と直接、データや信号のやり取りを行って印刷を実行することができる（一般的なＰＣプリンタとして機能する）。３００９は電源コネクタで、電源３０１３により、商用ＡＣから変換された直流電圧を入力している。ＰＣ３０１０は一般的なパーソナルコンピュータ、３０１１は前述したメモリカード、３０１２は大容量記憶装置である。３０２４は後述するスキャン装置である。
【００２５】
尚、この制御部３０００とプリンタエンジン３００４との間の信号のやり取りは、前述したＵＳＢバス３０２１又はＩＥＥＥ１２８４バス３０２２を介して行われる。
【００２６】
図５はダイレクトプリンタ装置１０００本体内部のメカ図であり、５００１は記録ヘッドカートリッジ、５００２は光学式エンコーダ、５００３は給紙モータ、５００４は記録ヘッドカートリッジモータである。スキャン装置３０２４は、記録ヘッドカートリッジ５００１に物理的接続が成されており、従来のインクジェットプリンタと同様、記録ヘッドカートリッジ５００１と共に記録シートの端部から端部まで光学式エンコーダ５００２にて位置制御をしながら記録ヘッドカートリッジモータ５００４を駆動させることにより、走査することが可能になっている。
【００２７】
スキャン装置３０２４は、図６に示すように、発光素子６００１、受光素子６００２から構成されている。先ず、発光素子６００１により光を発射する。発射された光は対象物６００３に衝突すると対象物の濃度に応じて反射し、その反射光成分は受光素子６００２により受光され、その光量を測定することができる。
【００２８】
図４はＡＳＩＣ３００１の構成を示すブロック図で、この図４においても、前述の図面と共通する部分は同じ記号を付与して、それらの説明を省略する。
【００２９】
４００１はメモリカードインターフェース部で、装着されたメモリカード３０１１に記憶されている画像データを読み取ったり、或はメモリカード３０１１へのデータの書き込み等を行う。４００２はＩＥＥＥ１２８４インターフェース部で、プリンタエンジン３００４との間のデータのやり取りを行う。このＩＥＥＥ１２８４インターフェース部は、大容量記憶装置３０１２或はメモリカード３０１１に記憶されている画像データを印刷する場合に使用されるバスである。４００３は、ＵＳＢインターフェース部で、ＰＣ３０１０との間でのデータのやり取りを行う。４００４はＵＳＢホストインターフェース部で、大容量記憶装置３０１２との間でのデータのやり取りを行う。
【００３０】
４００５は操作パネル・インターフェース部で、操作パネル１０１０からの各種操作信号を入力したり、表示部１００６への表示データの出力等を行う。４００６はビューワ・インターフェース部で、ビューワ１０１１への画像データの表示を制御している。４００７は各種スイッチやＬＥＤ４００９等との間のインターフェースを制御する部分である。４００８はＣＰＵインターフェース部で、ＣＰＵ３００２との間でのデータのやり取りの制御を行っている。４０１０はこれら各部を接続する内部バス（ＡＳＩＣバス）である。
【００３１】
又、４０１１はスキャン装置インターフェース部で、スキャン装置３０２４との間のインターフェースを制御する部分である。
【００３２】
以上の構成に基づく動作概要を以下に説明する。
［通常のＰＣプリンタモード］
これはＰＣ３０１０から送られてくる印刷データに基づいて画像を印刷する印刷モードである。
【００３３】
このモードでは、ＰＣ３０１０からのデータがコネクタ１０１３を介して入力されると、ＵＳＢバスハブ３００８、ＵＳＢバス３０２１を介して直接プリンタエンジン３００４に送られ、ＰＣ３０１０からのデータに基づいて印刷が行われる。
［メモリカードからの直接プリントモード］
メモリカード３０１１がカードスロット１０１３に装着或は脱着されると割り込みが発生し、これによりＣＰＵ３００２はメモリカード３０１１が装着されたか或は脱着（取り外された）されたかを検知できる。メモリカード３０１１が装着されると、そのメモリカード３０１１に記憶されている圧縮された（例えば、ＪＰＥＧ圧縮）画像データを読込んでメモリ３００３に記憶する。その後、その圧縮された画像データを解凍して再度メモリ３００３に格納する。
【００３４】
次に、操作パネル１０１０を使用して、その格納した画像データの印刷したい範囲指定、印刷部数、印刷に使用する用紙の種類等の印刷指示がされると、ＲＧＢ信号からＹＭＣＫ信号への変換、ガンマ補正、誤差拡散等を実行してプリンタエンジン３００４で印刷可能な記録データに変換し、ＩＥＥＥ１２８４インターフェース部４００２を介してプリンタエンジン３００４に出力することにより印刷を行う。
【００３５】
以下、以上の構成に基づく本実施の形態に係るダイレクトプリンタ装置１０００における、特に大容量記憶装置３０１２、スキャン装置３０２３に関する処理を以下に述べる。
【００３６】
＜実施の形態１＞
図７は本発明における大容量記憶装置３０１２をダイレクトプリンタ装置１０００に装着しメモリカード３０１１に記録された画像データの保存、プリントを行う際のフローチャートである。
【００３７】
大容量記憶装置３０１２をダイレクトプリンタ装置１０００に装着されると（ステップＳ７１）、大容量記憶装置装着フラグがＯＮになる（ステップＳ７２）。
【００３８】
又、大容量記憶装置３０１２をダイレクトプリンタ装置１０００から着脱すると大容量記憶装置装着フラグがＯＦＦになり、大容量記憶装置３０１２に関する機能は全て無効になる（ステップＳ７１５）。
【００３９】
大容量記憶装置装着フラグがＯＮの後、大容量記憶装置モードキー２００７が押下されると大容量記憶装置３０１２へのアクセスを許可する（ステップＳ７３）。
［大容量記憶装置への画像データ保存の場合］
大容量記憶装置３０１２への画像データ保存を行う場合、ユーザは、先ず保存キー２００７を押下する（ステップＳ７４）。
【００４０】
保存キー２００７が押下されると、ダイレクトプリンタ装置１０００はメモリカード３０１１が装着されていることを確認する（ステップＳ７５）。
【００４１】
その後、ダイレクトプリンタ装置１０００は、図８に示すようにインデックスプリント動作を行う（ステップＳ７６）。前記インデックスプリント動作は、メモリカード３０１１内における全ての画像データをＭ＊Ｎサイズ（Ｍ，  Ｎは任意）にて印刷すると共に、チェックボックス８００１を画像データ毎に対応させてプリントすることで、画像選択用紙８０００としてユーザが保存したい画像データを鉛筆等のペンで塗り潰すことができるようにする。
【００４２】
ユーザは、画像選択用紙８０００を閲覧し、保存したい画像を選択し、チェックボックス８００１へチェックを行った後、画像選択用紙８０００をダイレクトプリント装置１０００の自動給紙部１００７へセットする（ステップＳ７７）。そして、自動給紙部１００７への画像選択用紙８０００のセットの後、再度保存キー２００７を押下する（ステップＳ７８）。
【００４３】
ダイレクトプリンタ装置１０００は、画像選択用紙８０００を給紙モータ５００３により、１段目のチェックボックス８００１ａ  位置まで所定のステップ数自動給紙する。そして、光学式エンコーダ５００２の位置制御により記録ヘッドカートリッジモータ５００４を駆動することにより、記録ヘッドカートリッジ５００１に物理的接続されているスキャン装置３０２４を走査させながら、各チェックボックス８００１所定の位置において、チェック装置を駆動させることで、ユーザが選択した画像の有無を検出する。
【００４４】
その後、２段目のチェックボックス８００１ｂ、３段目のチェックボックス８００１ｃ、…と同様の動作により、ユーザが選択した画像の有無を検出する（Ｓ７９）。
【００４５】
その後、ダイレクトプリンタ装置１０００は選択された画像データをメモリカード３０１１より内部バス４０１０を介して大容量記憶装置３０１２へ転送する。
【００４６】
この保存動作において、本発明のフォトダイレクトプリンタ装置１０００においては保存キーが押下された日時毎のディレクトリ構造下に、通し番号を付加して、画像データを保存する（ステップＳ８１０）。
［大容量記憶装置からのプリントの場合］
大容量記憶装置３０１２からのプリントを行う場合、ユーザは、先ず印刷開始キー２００５を押下する（ステップＳ８１１）。
【００４７】
その後、ユーザは、操作パネル１０１０における（開始／−指定〜終了）項目において、カーソル２００１によりプリントしたい画像指定や用紙種類等の設定を行い（ステップＳ５１０）、再度、印刷開始キー２００５を押下する（ステップＳ８１２）。
【００４８】
印刷開始キー２００５が押下されると、大容量記憶装置３０１２に保存されている指定された画像データを、前記した［メモリカードからの直接プリント］と同様の動作によりプリント処理を行う（ステップＳ８１３）。
【００４９】
＜実施の形態２＞
実施の形態１における［大容量記憶装置への画像データ保存の場合］のように、スキャン装置３０２４を用いた大容量記憶装置３０１２からのプリント方法を図９のフローチャートに従って以下に説明する。
【００５０】
大容量記憶装置３０１２からの印刷を行う場合、ユーザは、先ず印刷開始キー２００５を押下する（ステップＳ８１１）。すると、ダイレクトプリンタ装置１０００は、図８のように大容量記憶装置３０１２内の全画像データのインデックスプリント動作を行う（ステップＳ９２）。前記インデックスプリント動作は、先程と同様に、画像データをＭ＊Ｎサイズ（Ｍ，  Ｎは任意）にて印刷すると共に、チェックボックス８００１を画像データ毎に対応させてプリントすることで、画像選択用紙８０００としてユーザが印刷したい画像データを鉛筆等のペンで塗り潰すことができるようにする。
【００５１】
ユーザは、画像選択用紙８０００を閲覧し、印刷したい画像を選択し、チェックボックス８００１へチェックを行った後、画像選択用紙８０００をインデックスプリント装置１０００の自動給紙部１００７へセットする（ステップＳ９３）。そして、自動給紙部１００７への画像選択用紙８０００のセットの後、再度印刷開始キー２００５を押下する（ステップＳ９４）。
【００５２】
ダイレクトプリンタ装置１０００は画像選択用紙８０００を給紙モータ５００３により、１段目のチェックボックス８００１ａ位置まで所定のステップ数自動給紙する。そして、光学式エンコーダ５００２の位置制御により記録ヘッドカートリッジモータ５００４駆動することにより、記録ヘッドカートリッジ５００１に物理的接続されているスキャン装置３０２４を走査させながら、各チェックボックス８００１所定の位置において、チェック装置を駆動させることで、ユーザが選択した画像の有無を検出する。
【００５３】
その後、２段目のチェックボックス８００１ｂ、３段目のチェックボックス８００１ｃ、…と同様の動作により、ユーザが選択した画像の有無を検出する（Ｓ９５）。
【００５４】
その後、ダイレクトプリンタ装置１０００は、大容量記憶装置３０１２に保存されている指定された画像データを前記した［メモリカードからの直接プリント］と同様の動作によりプリント処理を行う（ステップＳ９６）。
【００５５】
以上、実施例１，２により、デジタルカメラ等で撮影した画像データをダイレクトプリンタ装置１０００へ保存ないし印刷する際、所望の画像データを選択する際にはインデックスプリントが施された画像選択用紙８０００により、ユーザがメモリカード３０１１内ないし大容量記憶装置３０１２内の全画像データを一度に閲覧し所望の画像データに対応したチェックボックス８００１へチェックを入れるだけで良く、ユーザへの作業負荷、時間負荷を軽減することができる。
【００５６】
【発明の効果】
以上の説明で明らかなように、本発明によれば、ＰＣは所持していないが、デジタルカメラは所持しているユーザが記憶媒体内の画像データを簡単に保存し、保存された画像データを簡単に検索し、所望の画像データを印刷することができるという効果が得られる。
【図面の簡単な説明】
【図１】本発明の実施の形態に係るダイレクトプリンタ装置の概観斜視図である。
【図２】本発明の実施の形態に係るダイレクトプリンタ装置の操作パネルの概観図である。
【図３】本発明の実施の形態に係るダイレクトプリンタ装置の制御に係る主要部の構成を示すブロック図である。
【図４】本発明の実施の形態に係るダイレクトプリンタ装置のＡＳＩＣの構成を示すブロック図である。
【図５】本発明の実施の形態に係るダイレクトプリンタ装置の内部メカ図である。
【図６】本発明の実施の形態に係るダイレクトプリンタ装置のスキャン装置の構成図である。
【図７】実施の形態１に係るダイレクトプリンタ装置と大容量記憶装置が接続された状態におけるダイレクトプリンタ装置動作のフローチャートである。
【図８】実施の形態１に係るダイレクトプリンタ装置と大容量記憶装置が接続された状態における画像選択用紙の一例である。
【図９】実施の形態２に係るダイレクトプリンタ装置と大容量記憶装置が接続された状態におけるダイレクトプリンタ装置動作のフローチャートである。
【符号の説明】
１０００  ダイレクトプリンタ装置
１００１  下ケース
１００２  上ケース
１００３  アクセスカバー
１００４  排出トレイ
１００４ａ，１００４ｂ  補助トレイ
１００５  電源キー
１００６  液晶表示部
１００７  自動給送部
１００８  紙間選択レバー
１００９  カードスロット
１０１０  操作パネル
１０１１  ビューワ
１０１２  大容量記憶装置接続端子
１０１３  ＰＣ接続端子
２００１  カーソルキー
２００２  モードキー
２００３  ＬＥＤ
２００４  メンテナンスキー
２００５  印刷開始キー
２００６  印刷中止キー
２００７  大容量記憶装置モードキー
２００８  保存キー
３０００  制御部
３００１  ＡＳＩＣ
３００２  ＣＰＵ
３００３  メモリ
３００３ａ  プログラムメモリ
３００４  プリンタエンジン
３００５  ＵＳＢバスコネクタ
３００６  ビューワ接続コネクタ
３００７  操作パネル接続コネクタ
３００８  ＵＳＢハブ
３００９  電源コネクタ
３０１０  ＰＣ
３０１１  メモリカード
３０１２  大容量記憶装置
３０１３  電源
３０２１  ＵＳＢバス
３０２２  ＩＥＥＥ１２８４バス
３０２３  スキャン装置接続コネクタ
３０２４  スキャン装置
４００１  メモリカードインターフェース部
４００２  ＩＥＥＥ１２８４インターフェース部
４００３  ＵＳＢインターフェース部
４００４  ＵＳＢホストインターフェース部
４００５  操作パネルインターフェース部
４００６  ビューワインターフェース部
４００７  各種スイッチインターフェース部
４００８  ＣＰＵインターフェース部
４００９  各種スイッチ、ＬＥＤ等
４０１０  ＡＳＩＣバス
４０１１  スキャン装置インターフェース部
５００１  記録ヘッドカートリッジ
５００２  光学式エンコーダ
５００３  給紙モータ
５００４  記録ヘッドカートリッジモータ
６００１  受光素子
６００２  発光素子
６００３  対象物
８０００  画像選択用紙
８００１  チェックボックス
８００１ａ〜８００１ｅ  各段のチェックボックス
【図１】
2004216559.tif 000003
【図２】
2004216559.tif 000004
【図３】
2004216559.tif 000005
【図４】
2004216559.tif 000006
【図５】
2004216559.tif 000007
【図６】
2004216559.tif 000008
【図７】
2004216559.tif 000009
【図８】
2004216559.tif 000010
【図９】
2004216559.tif 000011